(57)【要約】【課題】  シリンダ錠の鍵孔に細い器具を挿入してタンブラーを動かそうとすると逆にロックされてしまうシリンダ錠を提供する。【解決手段】  シリンダ錠１は外筒２に回動自在に挿着される内筒３を有し、内筒３には軸方向に鍵孔５を形成すると共にタンブラー孔６にタンブラーピン８を摺動可能に収納する。タンブラーピン８の合鍵挿入側にはシリンダー孔９を形成し鍵孔方向に付勢されたシリンダーピン１１及びドライバーピン１２の組を摺動可能に収納する。シリンダーピン１１はタンブラーピン８の移動方向と同一であって、シリンダーピン１１の先端が鍵孔中央付近に位置するときシリンダーピン１１の外端面がシアーライン１３に揃うように構成する。シリンダーピン１１を移動してピック操作用の空間を形成しようとするとシリンダーピン１１の外端面がシアーライン１３を越えてしまうため内筒３はロックされてしまう。【選択図】        図１
2005282049.tif 000002
【特許請求の範囲】
【請求項１】
外筒と、この外筒内に回動自在に挿着され軸方向に鍵孔を形成する内筒と、弾性部材によりこの鍵孔に対し移動可能に突出する複数個の鍵孔突出部材と、この鍵孔突出部材の移動により前記外筒に対して前記内筒の拘束と解放とを可能にして閉錠もしくは開錠を行なうシリンダ錠において、前記鍵孔突出部材の合鍵挿入側に外筒及び内筒を半径方向に貫通し鍵孔突出部材移動方向と同一方向で鍵孔に連通するシリンダー孔を形成し、このシリンダー孔に、鍵孔方向に付勢されたシリンダーピン及びドライバーピンの組を摺動可能に収納し、シリンダーピンの先端が鍵孔中央付近に位置するときドライバーピンに当接するシリンダーピンの外端面がシアーラインに揃うように構成することを特徴とするシリンダ錠。
【発明の詳細な説明】
【技術分野】
【０００１】
この発明は、ピッキングによる開錠を有効に防止し得る新規なシリンダ錠に関するものである。
【背景技術】
【０００２】
施錠してある錠前をピッキング用ピック等の工具を使い開錠して犯罪を行なう事への防犯対策としてピッキング防止用のシリンダ錠が数多く提案されてきた。ピッキングは、シリンダ錠の鍵孔に針金状の細い器具を挿入し、鍵孔内に露出する鍵孔突出部材である棒状若しくは板状のタンブラーを動かすと共に、内筒にトルクを掛けてタンブラーの適正位置を検知し、合鍵なしで内筒の回動を可能とする行為である。
【０００３】
タンブラーの移動機構を複雑にしてピッキング行為が困難となるような対策を施したシリンダ錠としては、例えば下記に示すような従来技術があった。
【特許文献１】特開昭６１−１５５５７７号公報
【特許文献２】特開平２−２４８５８６号公報
【特許文献３】特開２００３−２９３６２８公報
【発明の開示】
【発明が解決しようとする課題】
【０００４】
しかし、従来のシリンダ錠は、ピンタンブラー錠あるいはディスクタンブラー錠であっても、ピッキング対策を施した鍵孔突出部材であるピン若しくはディスク等と、その他の通常のピン若しくはディスクの作動方向が同じであるため、ピックが入れば開錠されてしまう恐れがあった。
【０００５】
この発明は、上記のような従来のシリンダ錠が有する問題点を解消すべくなされたものであり、シリンダ錠の鍵孔に細い器具を挿入してピン若しくはディスクのタンブラーを動かそうとすると逆にロックされてしまうシリンダ錠を提供することを目的としている。
【課題を解決するための手段】
【０００６】
上記課題を解決するため、この発明のシリンダ錠は、外筒と、この外筒内に回動自在に挿着され軸方向に鍵孔を形成する内筒と、弾性部材によりこの鍵孔に対し移動可能に突出する複数個の鍵孔突出部材と、この鍵孔突出部材の移動により前記外筒に対して前記内筒の拘束と解放とを可能にして閉錠もしくは開錠を行なうシリンダ錠において、前記鍵孔突出部材の合鍵挿入側に外筒及び内筒を半径方向に貫通し鍵孔突出部材移動方向と同一方向で鍵孔に連通するシリンダー孔を形成し、このシリンダー孔に、鍵孔方向に付勢されたシリンダーピン及びドライバーピンの組を摺動可能に収納し、シリンダーピンの先端が鍵孔中央付近に位置するときドライバーピンに当接するシリンダーピンの外端面がシアーラインに揃うように構成することを特徴とするものである。
【０００７】
シリンダ錠は、ピンタンブラー錠であっても、ディスクタンブラー錠あるいはレバータンブラー錠でもよい。ピンタンブラー錠の場合には、外筒及び内筒を半径方向に貫通して鍵孔に連通するタンブラー孔を複数箇所形成し、各タンブラー孔に、内方に付勢されたタンブラーピン及びドライバーピンの組を摺動可能に収納して、鍵孔に合鍵が挿入されたときドライバーピンに当接するタンブラーピンの外端面がシアーラインに揃うように構成されている。
【０００８】
シリンダーピンは、これらタンブラーピンの前面部同列上に位置し、合鍵が未挿入時にはシリンダーピンの先端が鍵孔中央付近にある一方、この時点でその外端面がシアーラインに揃っており、このシリンダーピン近傍の内筒部分は回動可能な状態となっている。もっとも、合鍵未挿入時には各組のタンブラーピン及びドライバーピンの分割境界線はシアーラインに一致していないため、この状態では内筒は回動し得ない。
【０００９】
合鍵挿入時には、タンブラーピンの外端面がシアーラインに揃うと同時にシリンダーピンもその外端面がシアーラインに留まるよう構成されているので、全ての内筒の拘束が解放され開錠を可能とする。
【００１０】
このシリンダ錠に対してピッキング行為を行なう際には、ピックを挿入して内筒にトルクを掛けながら、タンブラーピンを押し上げ等して移動しなければならないが、合鍵挿入側の最前列にシリンダーピンが突出して鍵孔を塞いでいるため、これを避けてピックを挿入することは不可能である。又シリンダーピンを移動してピック操作用の空間を形成しようとすると、シリンダーピンの外端面がシアーラインを越えてしまうため内筒はロックされてしまう。
【００１１】
ディスクタンブラー錠の場合には、内面にタンブラー係止溝を複数条形成した外筒内に内筒を回転自在に嵌合し、この内筒内には鍵孔を有する複数枚のディスクが軸方向に所定の間隔を保ちながら積層されている。これらのディスクは鍵孔に挿通される合鍵の幅方向に摺動可能に案内されており、付設する弾性部材によってタンブラー係止溝に係入する方向に付勢されている。
【００１２】
従って合鍵挿入前にはディスク端部がシアーラインより外方に位置しているため外筒に対する内筒の回動は阻止されている。合鍵を挿入すると鍵の山部、谷部が各ディスクの鍵孔内面と係合してディスクを弾性部材に抗して移動させるので、ディスク端部はタンブラー係止溝から離脱して内筒内に没入するためロックから解放される。
【００１３】
ディスクタンブラー錠の場合であってもシリンダーピンは、これらディスクの前面部同列上に位置する。合鍵挿入時には、ディスクを内筒内に没入すると同時にシリンダーピンもその外端面がシアーラインに留まるよう構成されているので、全ての内筒の拘束が解放され開錠を可能とする。この場合もピックを挿入してディスクを移動させる際にはシリンダーピンの外端面がシアーラインを越えてしまうため内筒はロックされてしまう。
【００１４】
鍵孔突出部材は、それが移動することで間接的に内筒をロックするものでもよい。例えば外筒・内筒に共通して穿設する孔にスプリングの作用を受けたドライバにより押圧される鉛直方向ピンを収容し、このピンと直交して配設する水平ピンを弾性部材で付勢しながら鍵孔内に突出する構成でもよい。
【００１５】
この場合水平ピンには、縮径部を設け、この部分に鉛直方向ピンの下端が嵌入し得るようにする。水平ピンの縮径部以外で鉛直方向ピンが当接している場合にはピン及びドライバを押し上げているためロック状態となる。水平ピンの縮径部が鉛直方向ピンの直下に位置するよう移動した場合には、ピンとドライバが下降するため両者の境界線がシアーラインに一致して内筒は外筒に対して自在に回動できるようになる。
【００１６】
シリンダーピンを水平ピンの前面部同列上に位置すれば、同様にピッキング防止となる。なお、水平ピンの縮径部に嵌入するロック部材はピンに限定されず、板材等であってもよい。このように鍵孔に突出して合鍵の凹凸で移動する部材と同一方向に移動し、かつ常時先端が鍵孔中央付近に位置するシリンダーピンを設け、このシリンダピンが初期位置から移動した際にはロックが掛かる構成であれば、如何なる構造のピンタンブラー錠であっても、又ディスクタンブラー錠でも、あるいはピンとディスクを複合して構成したタンブラー錠でもよいし、レバータンブラー錠でもよい。
【発明の効果】
【００１７】
この発明のシリンダ錠は、鍵孔突出部材の合鍵挿入側に鍵孔突出部材移動方向と同一方向に移動可能なシリンダーピン及びドライバーピンの組を設け、シリンダーピンの先端が鍵孔中央付近に位置するときシリンダーピンの外端面がシアーラインに揃うように構成するので、このシリンダ錠に対してピッキング行為を行なう際には、合鍵挿入側の最前列にシリンダーピンが突出して鍵孔を塞いでいるため、これを避けてピックを挿入することは不可能であり、シリンダーピンを移動してピック操作用の空間を形成しようとすると、シリンダーピンの外端面がシアーラインを越えてしまうため内筒はロックされてしまう。
【発明を実施するための最良の形態】
【００１８】
次にこの発明の実施の形態を添付図面に基づき詳細に説明する。図１はシリンダ錠の縦断面図、図２及び図３は夫々図１のII−II断面又はIII−III断面を示す断面図である。シリンダ錠１は、外筒２と、この外筒２内に回動自在に挿着される内筒３からなり、内筒後端にはテールピース４を突出して、このテールピース４の回動を介して図示しないロック部材を操作し、施錠又は開錠を行なう。
【００１９】
内筒３には軸方向に鍵孔５を形成すると共に、鍵孔５に連通するタンブラー孔６を複数箇所形成し、各タンブラー孔６に、タンブラーバネ７で鍵孔方向に付勢されたタンブラーピン８を摺動可能に収納する。このタンブラーピン８には縮径部８ａを形成し、施錠状態では複数のタンブラーピン８における夫々の縮径部８ａの高さは異なる位置に設定する。
【００２０】
これらタンブラーピン８の合鍵挿入側には、外筒２及び内筒３を夫々半径方向に貫通するシリンダー孔９を形成し、シリンダーバネ１０で鍵孔方向に付勢されたシリンダーピン１１及びドライバーピン１２の組を摺動可能に収納する。このシリンダーピン１１はタンブラーピン８の移動方向と同一であって、シリンダーピン１１の先端が鍵孔中央付近に位置するときドライバーピン１２に当接するシリンダーピン１１の外端面がシアーライン１３に揃うように構成する。
【００２１】
図３に示すように外筒２の内面には、カム溝１４を形成し、内筒３のスロット１５に収納するロッキングバー１６を係合する。ロッキングバー１６はスロット１５に沿って内筒３の半径方向に移動可能に案内されている。タンブラー孔６の側方に設ける突起部１７にはロッキングバネ１８を嵌合し、その弾性力でロッキングバー１６をカム溝１４方向に押圧している。
【００２２】
ロッキングバー１６とタンブラーピン８の移動方向は直交して配設されており、ロッキングバー１６の内端部１６ａはタンブラーピン８の縮径部８ａに嵌入し得る大きさとする。図３のようにロッキングバー１６の内端部１６ａがタンブラーピン８の縮径部８ａ以外で当接している場合にはロッキングバー１６の移動が不可能となるため内筒３はロック状態となる。
【００２３】
次に合鍵挿入時のシリンダ錠の作用を図４乃至図６に基づき説明する。図４は合鍵挿入時のシリンダ錠の縦断面図、図５は図４のＶ−Ｖ断面を示す断面図、図６は回転時のＶ−Ｖ断面を示す断面図である。合鍵１９には深さの異なる複数の凹部１９ａを凹設し、これら凹部１９ａに各シリンダーピン１１及びタンブラーピン８の先端部が嵌合するように形成する。
【００２４】
シリンダーピン１１の外端面は合鍵挿入時にあってもシアーライン１３に留まるよう構成されている。凹部１９ａに嵌合するタンブラーピン８の縮径部８ａが同一高さに揃うと、ロッキングバー１６の内端部１６ａはタンブラーピン８の縮径部８ａと高さが一致するようになる。
【００２５】
この時ロッキングバー１６はスロット１５に沿って内筒３の半径方向に移動可能となるため、この状態で合鍵１９を回動すると図６に示すようにロッキングバー１６はカム溝１４に沿ってシアーラインまで後退するようになり、全ての内筒３の拘束が解放され開錠が可能となる。
【００２６】
このシリンダ錠１に対してピッキング行為を行なう際の作用を図７に示す。ピッキング行為を行なう場合には、ピック２０を挿入して内筒３にトルクを掛けながら、タンブラーピン８を押し上げ等して移動しなければならないが、合鍵挿入側の最前列にシリンダーピン１１が突出して鍵孔５を塞いでいるため、これを避けてピック２０を挿入することは不可能である。又シリンダーピン１１を移動してピック操作用の空間を形成しようとすると、シリンダーピン１１の外端面がシアーライン１３を越えてしまうため内筒３はロックされてしまう。
【産業上の利用可能性】
【００２７】
この発明のシリンダ錠は、従来の構成であるシリンダ錠の前面部に本発明のシリンダーピンを新たに付設することでも適用でき、ピッキング防止効果がある。
【図面の簡単な説明】
【００２８】
【図１】シリンダ錠の縦断面図である。
【図２】図１のII−II断面を示す断面図である。
【図３】図１のIII−III断面を示す断面図である。
【図４】合鍵挿入時のシリンダ錠の縦断面図である。
【図５】図４のＶ−Ｖ断面を示す断面図である。
【図６】回転時のＶ−Ｖ断面を示す断面図である。
【図７】ピッキング行為時のシリンダ錠の縦断面図である。
【符号の説明】
【００２９】
１  シリンダ錠
２  外筒
３  内筒
５  鍵孔
８  タンブラーピン
９  シリンダー孔
１０  シリンダーバネ
１１  シリンダーピン
１２  ドライバーピン
１３  シアーライン
【図１】
2005282049.tif 000003
【図２】
2005282049.tif 000004
【図３】
2005282049.tif 000005
【図４】
2005282049.tif 000006
【図５】
2005282049.tif 000007
【図６】
2005282049.tif 000008
【図７】
2005282049.tif 000009